(57)【要約】      （修正有）【課題】システム内でＩＥＤを試験するためのシステムを提供する。【解決手段】第１のインテリジェント電子デバイスＩＥＤ１１０Ａおよび第１のＩＥＤ（１１０Ａ）と通信する第２のＩＥＤ（１１０Ｂ）を含み、各ＩＥＤ１１０Ａ、ＩＥＤ１１０Ｂが、第１のタイムスタンプ時に別のＩＥＤに一般的オブジェクト指向変電所イベント（ＧＯＯＳＥ）メッセージを送信するための送信機４０、第２のタイムスタンプ時に別のＩＥＤからＧＯＯＳＥメッセージを受信するための受信機５０、第１のタイムスタンプおよび第２のタイムスタンプに基づいてラウンドトリップ時間を計算するための計算器６０、およびラウンドトリップ時間が指定されたラウンドトリップ時間内であるかどうかを判定するための判定器７０を備える。【選択図】図１
2012175706.tif 000002
【特許請求の範囲】
【請求項１】
第１のインテリジェント電子デバイス（ＩＥＤ）（１１０Ａ）と、
前記第１のＩＥＤ（１１０Ａ）と通信する第２のＩＥＤ（１１０Ｂ）とを備えるシステム（１００）であって、各ＩＥＤ（１１０Ａ、１１０Ｂ）が、
第１のタイムスタンプ時に別のＩＥＤに一般的オブジェクト指向変電所イベント（ＧＯＯＳＥ）メッセージを送信するための送信機（４０）、
第２のタイムスタンプ時に前記別のＩＥＤから前記ＧＯＯＳＥメッセージを受信するための受信機（５０）、
前記第１のタイムスタンプおよび前記第２のタイムスタンプに基づいてラウンドトリップ時間を計算するための計算器（６０）、
および前記ラウンドトリップ時間が指定されたラウンドトリップ時間内であるかどうかを判定するための判定器（７０）を備える
システム（１００）。
【請求項２】
前記ＧＯＯＳＥメッセージの種類が、一般的変電所状態イベント（ＧＳＳＥ）メッセージ、固定ＧＯＯＳＥメッセージ、構成可能ＧＯＯＳＥデジタル入力（ＤＩ）メッセージ、または構成可能ＧＯＯＳＥアナログ入力（ＡＩ）メッセージのうちの１つである、請求項１記載のシステム（１００）。
【請求項３】
前記ＧＯＯＳＥメッセージが、１６個、３２個、または６４個の入力のうちの１つを含む、請求項１記載のシステム（１００）。
【請求項４】
前記ＧＯＯＳＥメッセージがデジタル入力を含み、前記指定されたラウンドトリップ時間が、約２０ミリ秒（ｍｓ）である、請求項３記載のシステム（１００）。
【請求項５】
前記ＧＯＯＳＥメッセージがアナログ入力を含み、前記指定されたラウンドトリップ時間が、約１００ミリ秒（ｍｓ）である、請求項３記載のシステム（１００）。
【請求項６】
障害データが試験障害をシミュレートするよう、各ＩＥＤ（１１０Ａ、１１０Ｂ）の前記受信機（５０）が障害シミュレータ（１５０）から前記障害データを受信する、請求項１記載のシステム（１００）。
【請求項７】
前記試験障害が、バスカップラ障害である、請求項６記載のシステム（１００）。
【請求項８】
前記試験障害が、送電線障害である、請求項６記載のシステム（１００）。
【請求項９】
前記障害データが、１６個、３２個、または６４個の入力のうちの１つを含むＧＯＯＳＥデータセットを含む、請求項６記載のシステム（１００）。
【請求項１０】
第１のインテリジェント電子デバイス（ＩＥＤ）（１１０Ａ）と、
前記第１のＩＥＤ（１１０Ａ）と通信する第２のＩＥＤ（１１０Ｂ）と、
障害データが試験障害をシミュレートするように、前記障害データを前記第１のＩＥＤ（１１０Ａ）および前記第２のＩＥＤ（１１０Ｂ）に送信するための障害シミュレータ（１５０）とを備えるシステム（１００）であって、
各ＩＥＤ（１１０Ａ、１１０Ｂ）が、
第１のタイムスタンプ時に別のＩＥＤに一般的オブジェクト指向変電所イベント（ＧＯＯＳＥ）メッセージを送信するための送信機（４０）、
第２のタイムスタンプ時に前記別のＩＥＤから前記ＧＯＯＳＥメッセージを受信するための受信機（５０）、
前記第１のタイムスタンプおよび前記第２のタイムスタンプに基づいてラウンドトリップ時間を計算するための計算器（６０）、
および前記ラウンドトリップ時間が指定されたラウンドトリップ時間内であるかどうかを判定するための判定器（７０）を備える
システム（１００）。
【発明の詳細な説明】
【技術分野】
【０００１】
本明細書に開示される主題は、電力システム内の変電所のための、変電所自動化システムに関し、より具体的には、変電所自動化システムの中のインテリジェント電子デバイス（ＩＥＤ）を試験するための解決手段に関し、具体的には、国際電気標準会議（ＩＥＣ、Ｉｎｔｅｒｎａｔｉｏｎａｌ  Ｅｌｅｃｔｒｏｔｅｃｈｎｉｃａｌ  Ｃｏｍｍｉｓｓｉｏｎ）６１８５０プロトコルを用いる解決手段に関する。
【背景技術】
【０００２】
電力システムは、変電所自動化システムを用いて保護、制御、監視する必要がある、継電器、メータ、または他の同様のデバイスなどの構成要素を含む。インテリジェント電子デバイス（ＩＥＤ）を使用して、そのような構成要素を監視する。ＩＥＤはお互いに通信するとともに、電力システム内の構成要素から連続的にデータを受信する。ＩＥＤは、電力システム内の１つまたは複数の構成要素が、どこでおよびいつ障害が発生したか判定することができ、このデータをマスタステーションに送信することができる。
【０００３】
ＩＥＣ  ６１８５０プロトコルは、ＩＥＤなど変電所のデバイス間の、国際的に受け入れられた通信規格である。ＩＥＣ  ６１８５０プロトコルを使用する変電所は、ＩＥＤ間でピアツーピア通信するために、一般的オブジェクト指向変電所イベント（ＧＯＯＳＥ、Ｇｅｎｅｒｉｃ  Ｏｂｊｅｃｔ  Ｏｒｉｅｎｔｅｄ  Ｓｕｂｓｔａｔｉｏｎ  Ｅｖｅｎｔｓ）を必要とする。例えば電力システム内で障害が発生したときに、特定の時間枠内にＩＥＤ間でＧＯＯＳＥメッセージ中の重要情報を交換することは、変電所内の重要なパラメータである。
【先行技術文献】
【特許文献】
【０００４】
【特許文献１】米国特許出願公開第２００９／００７００６２号明細書
【発明の概要】
【０００５】
システム内でＩＥＤを試験するための解決手段を開示する。
【０００６】
一実施形態では、第１のインテリジェント電子デバイス（ＩＥＤ）および第１のＩＥＤと通信する第２のＩＥＤを備えるシステムであって、各ＩＥＤが、第１のタイムスタンプ時に別のＩＥＤに一般的オブジェクト指向変電所イベント（ＧＯＯＳＥ）メッセージを送信するための送信機、第２のタイムスタンプ時に別のＩＥＤからＧＯＯＳＥメッセージを受信するための受信機、第１のタイムスタンプおよび第２のタイムスタンプに基づいてラウンドトリップ時間を計算するための計算器、およびラウンドトリップ時間が指定されたラウンドトリップ時間内であるかどうかを判定するための判定器を備えるシステムを提供する。
【０００７】
本発明の第１の態様は、第１のインテリジェント電子デバイス（ＩＥＤ）および第１のＩＥＤと通信する第２のＩＥＤを備えるシステムであって、各ＩＥＤが、第１のタイムスタンプ時に別のＩＥＤに一般的オブジェクト指向変電所イベント（ＧＯＯＳＥ）メッセージを送信するための送信機、第２のタイムスタンプ時に別のＩＥＤからＧＯＯＳＥメッセージを受信するための受信機、第１のタイムスタンプおよび第２のタイムスタンプに基づいてラウンドトリップ時間を計算するための計算器、およびラウンドトリップ時間が指定されたラウンドトリップ時間内であるかどうかを判定するための判定器を備えるシステムを提供する。
【０００８】
本発明の第２の態様は、第１のインテリジェント電子デバイス（ＩＥＤ）、第１のＩＥＤと通信する第２のＩＥＤ、および障害データが試験障害をシミュレートするように、障害データを第１のＩＥＤおよび第２のＩＥＤに送信するための障害シミュレータを備えるシステムであって、各ＩＥＤが、第１のタイムスタンプ時に別のＩＥＤに一般的オブジェクト指向変電所イベント（ＧＯＯＳＥ）メッセージを送信するための送信機、第２のタイムスタンプ時に別のＩＥＤからＧＯＯＳＥメッセージを受信するための受信機、第１のタイムスタンプおよび第２のタイムスタンプに基づいてラウンドトリップ時間を計算するための計算器、およびラウンドトリップ時間が指定されたラウンドトリップ時間内であるかどうかを判定するための判定器を備えるシステムを提供する。
【０００９】
本発明の第３の態様は、実行すると以下、すなわち、第１のタイムスタンプ時に第１のインテリジェント電子デバイス（ＩＥＤ）から第２のＩＥＤに一般的オブジェクト指向変電所イベント（ＧＯＯＳＥ）メッセージを送信するステップ、第２のタイムスタンプ時に第２のＩＥＤからのＧＯＯＳＥメッセージを第１のＩＥＤにおいて受信するステップ、第１のタイムスタンプおよび第２のタイムスタンプに基づいてラウンドトリップ時間を計算するステップ、およびラウンドトリップ時間が指定されたラウンドトリップ時間内であるかどうかを判定するステップを実施する、コンピュータ可読媒体上に記憶されたプログラム製品を提供する。
【００１０】
本発明のこれらおよび他の特徴は、本発明の様々な実施形態を描く添付の図面に関連して理解される、以下の、本発明の様々な態様の詳細な説明から、より容易に理解されよう。
【図面の簡単な説明】
【００１１】
【図１】本発明の一実施形態を実装するための、例示的な環境およびコンピュータインフラストラクチャを示すブロック図である。
【図２】本発明の一実施形態によるシステムを示すブロック図である。
【図３】本発明の一実施形態による、変電所システム内のＩＥＤを試験する処理を示す流れ図である。
【発明を実施するための形態】
【００１２】
本発明の図面は一定の縮尺でないことに留意されたい。図面は、単に本発明の代表的な態様を描くことを意図しており、したがって、本発明の範囲を限定すると考えるべきでない。図面中では、図面間で同様の番号付けは、同様の要素を表す。
【００１３】
図面を参照すると、図１は、変電所システム内のインテリジェント電子デバイス（ＩＥＤ）を試験するための例示的な環境１０を示す。ここで、環境１０は、変電所システム内のＩＥＤを試験するために、本明細書に記載の処理を実施できるコンピュータシステム２０を含む。特に、ラウンドトリップ時間分析器３０を含むようにコンピュータシステム２０を示しており、このことで、コンピュータシステム２０が、本明細書に記載の処理を実施することによって、変電所システム内でＩＥＤを試験するように動作可能となる。
【００１４】
複数のＩＥＤ  １１０Ａ、１１０Ｂ、…、１１０Ｎと通信するコンピュータシステム２０を示す。コンピュータシステム２０と通信する任意の数（Ｎ）のＩＥＤがあって良い。コンピュータシステム２０はＩＥＤ  １１０Ａ、１１０Ｂ、…、１１０Ｎと別個であるように示されているが、各ＩＥＤ  １１０Ａ、１１０Ｂ、…、１１０Ｎが、その中にコンピュータシステム２０を内蔵して含み得ることが理解されよう。
【００１５】
コンピュータシステム２０が、ユーザ３６と通信することも示してある。例えば、ユーザは、プログラマまたはオペレータであって良い。これらの構成要素とコンピュータシステム２０の間の相互作用は、以下でより詳細に議論することとする。コンピュータシステム２０は、処理構成要素２２（例えば、１つまたは複数のプロセッサ）、記憶構成要素２４（例えば、記憶階層）、入出力（Ｉ／Ｏ）構成要素２６（例えば、１つまたは複数のＩ／Ｏインターフェイスおよび／またはデバイス）、および通信経路２８を含むよう示してある。一実施形態において、処理構成要素２２がラウンドトリップ時間分析器３０などのプログラムコードを実行し、プログラムコードは少なくとも部分的に記憶構成要素２４内に具体化される。プログラムコードを実行する一方で、処理構成要素２２はデータを処理することができ、このことによって、さらなる処理のために、記憶構成要素２４および／またはＩ／Ｏ構成要素２６からデータを読み取り、かつ／または記憶構成要素２４および／またはＩ／Ｏ構成要素２６へデータを書き込むことになり得る。経路２８によって、コンピュータシステム２０内のそれぞれの構成要素間の通信リンクが実現する。Ｉ／Ｏ構成要素２６は、１つまたは複数のヒューマンＩ／Ｏデバイスまたは記憶デバイスを備えることができ、このことによって、ユーザ３６がコンピュータシステム２０および／または１つまたは複数の通信デバイスとやり取りすることを可能にし、ユーザ３６が任意の種類の通信リンクを使用してコンピュータシステム２０と通信することを可能にする。ここで、ラウンドトリップ時間分析器３０は、ラウンドトリップ時間分析器３０との人的相互作用および／またはシステム相互作用を可能にする、１組のインターフェイス（例えば、グラフィカルユーザインターフェイス（複数可）、アプリケーションプログラムインターフェイスなど）を管理することができる。
【００１６】
いずれにしても、コンピュータシステム２０は、その上にインストールしたプログラムコードを実行可能な、１つまたは複数の汎用コンピューティング製品（例えば、コンピューティングデバイス）を備えることができる。本明細書で使用する場合、「プログラムコード」は、任意の言語、コードまたは表記法における、任意の命令の集合を意味し、プログラムコードによって、情報処理能力を有するコンピューティングデバイスが、直接に、または（ａ）別の言語、コードまたは表記法への変換、（ｂ）異なる材料形態での複製、および／または（ｃ）展開の任意の組合せの後のいずれかで、特定の機能を実施させると理解されたい。ここで、ラウンドトリップ時間分析器３０は、システムソフトウェアおよび／またはアプリケーションソフトウェアの任意の組合せとして具体化することができる。いずれにしても、コンピュータシステム２０の技術的効果は、変電所システム内のＩＥＤ  １１０Ａ、１１０Ｂ、…、１１０Ｎを試験するための命令の処理を実現することである。
【００１７】
さらに、ラウンドトリップ時間分析器３０は、１組のモジュール３２を使用して実装することができる。この場合、モジュール３２によって、コンピュータシステム２０が、ラウンドトリップ時間分析器３０によって使用される１組のタスクを実施可能にすることができ、モジュール３２は、ラウンドトリップ時間分析器３０の他の部分とは別に分離して、開発および／または実装することができる。ラウンドトリップ時間分析器３０は、特定用途向けの機械／ハードウェアおよび／またはソフトウェアを備えるモジュール３２を含むことができる。とにかく、２つ以上のモジュールおよび／またはシステムが、それぞれのハードウェアおよび／またはソフトウェアの一部／全部を共有できることを理解されたい。さらに、本明細書で議論する機能性の一部が実装されない場合があること、または追加の機能性がコンピュータシステム２０の部分として含まれる場合があることを理解されたい。
【００１８】
コンピュータシステム２０が複数のコンピューティングデバイスを備えるとき、各コンピューティングデバイスは、その上に具体化されたラウンドトリップ時間分析器３０の単に一部（例えば、１つまたは複数のモジュール３２）を有する場合がある。しかし、コンピュータシステム２０およびラウンドトリップ時間分析器３０は、本明細書に記載の処理を実施することができる、様々な考えられる等価なコンピュータシステムの単なる代表であることを理解されたい。ここで、他の実施形態において、コンピュータシステム２０およびラウンドトリップ時間分析器３０によって提供される機能性は、プログラムコードを有する場合もプログラムコードを有さない場合もある、汎用ハードウェアおよび／または専用ハードウェアの任意の組合せを含む１つまたは複数のコンピューティングデバイスによって、少なくとも部分的に実装することができる。各実施形態において、ハードウェアおよびプログラムコードが含まれる場合は、それぞれ、標準的なエンジニアリング技法およびプログラミング技法を使用して、ハードウェアおよびプログラムコードを作成することができる。
【００１９】
とにかく、コンピュータシステム２０が複数のコンピューティングデバイスを含むとき、コンピューティングデバイスは任意の種類の通信リンクを介して通信することができる。さらに、本明細書に記載の処理を実施する一方で、コンピュータシステム２０は、任意の種類の通信リンクを使用して、１つまたは複数の他のコンピュータシステムと通信することができる。いずれの場合においても、通信リンクは、様々な種類の有線リンクおよび／または無線リンクの任意の組合せを備え、１つまたは複数の種類のネットワークの任意の組合せを備え、かつ／または様々な種類の送信技法およびプロトコルの任意の組合せを使用することができる。
【００２０】
本明細書で議論するように、ラウンドトリップ時間分析器３０によって、コンピュータシステム２０が、変電所システム内のＩＥＤ  １１０Ａ、１１０Ｂ、…、１１０Ｎを試験するための命令の処理を実現することを可能にする。ラウンドトリップ時間分析器３０は、論理を含むことができ、論理は、以下の機能、すなわち、送信機４０、受信機５０、計算器６０、および判定器７０を含むことができる。一実施形態において、ラウンドトリップ時間分析器３０は、上記の機能を実行するための論理を含むことができる。構造的に、論理は、フィールドプログラマブルゲートアレイ（ＦＰＧＡ）、マイクロプロセッサ、デジタル信号プロセッサ、特定用途向け集積回路（ＡＳＩＣ）、または本明細書に記載の機能を実行可能な、任意の他の特定用途向けの機械構成など、様々な形式のいずれかをとることができる。論理は、ソフトウェアおよび／またはハードウェアなど、任意の様々な形式をとることができる。しかし、説明のために、ラウンドトリップ時間分析器３０およびそこに含まれる論理は、本明細書において、特定用途向け機械として記載することとする。説明から理解されるように、上記の機能のそれぞれを含むように論理を例示するが、添付の特許請求の範囲に記載するように、本発明の教示によれば、必ずしも全ての機能が必要ではない。
【００２１】
次に図２を参照すると、本発明の一実施形態による変電所システム１００のブロック図を示している。変電所システム１００は、第２のＩＥＤ  １１０Ｂと通信する第１のＩＥＤ  １１０Ａ、マスタステーション１７５、および障害シミュレータ１５０を含む。図２に示すように、ラウンドトリップ時間分析器３０を含むコンピュータシステム２０（図示せず）は、第１のＩＥＤ  １１０Ａおよび第２のＩＥＤ  １１０Ｂの中に組み込むことができる。しかし、コンピュータシステム２０は、第１のＩＥＤ  １１０Ａおよび第２のＩＥＤ  １１０Ｂと通信する別個の構成要素、または第１のＩＥＤ  １１０Ａおよび第２のＩＥＤ  １１０Ｂと通信するか、接続された別個の構成要素であって良い。図２には、単に２つのＩＥＤ  １１０Ａ、１１０Ｂが示されているが、任意の数のＩＥＤがマスタステーション１７５および障害シミュレータ１５０と通信できることが理解されよう。
【００２２】
図２に示すように、各ＩＥＤ  １１０Ａ、１１０Ｂは、ラウンドトリップ時間分析器３０をその中に組み込むコンピュータシステム２０を含むことができる。別法として、図１に示すように、各ＩＥＤ  １１０Ａ、１１０Ｂは、ラウンドトリップ時間分析器３０を含むコンピュータシステム２０と通信することができる。とにかく、ラウンドトリップ時間分析器３０は、第１のＩＥＤ  １１０Ａおよび第２のＩＥＤ  １１０Ｂを試験するように構成される。
【００２３】
第１のＩＥＤ  １１０Ａおよび第２のＩＥＤ  １１０Ｂは、障害データが変電所システム１００内の試験障害をシミュレートするように、障害シミュレータ１５０から障害データを受信する。このようにして、第１のＩＥＤ  １１０Ａおよび第２のＩＥＤ  １１０Ｂが試験され、第１のＩＥＤ  １１０Ａおよび第２のＩＥＤ  １１０Ｂが障害状態下でどのように動作するのかを判定する。試験障害は、限定するものではないが、バスカップラ障害または送電線障害など、電力システム内で発生する可能性がある、任意の既知の障害であり得る。障害シミュレータ１５０から第１のＩＥＤ  １１０Ａおよび第２のＩＥＤ  １１０Ｂに送られた障害データは、構成されたデューティサイクルで送られるＧＯＯＳＥデータセットを含むことができる。各ＧＯＯＳＥデータセットは、１６個、３２個、または６４個の入力を含むことができ、デジタル入力またはアナログ入力であり得る。
【００２４】
次に図３を参照すると、変電所システム１００内の第１のＩＥＤ  １１０Ａおよび第２のＩＥＤ  １１０Ｂを試験する実施形態の流れ図を示している。ステップＳ１において、第１のＩＥＤ  １１０Ａは、送信機４０を使用して、一般的オブジェクト指向変電所イベント（ＧＯＯＳＥ）メッセージを、第２のＩＥＤ  １１０Ｂに第１のタイムスタンプ時に送信するよう構成される。ＧＯＯＳＥメッセージは、限定するものではないが、一般的変電所状態イベント（ＧＳＳＥ）メッセージ、固定ＧＯＯＳＥメッセージ、構成可能ＧＯＯＳＥデジタル入力（ＤＩ）メッセージ、構成可能ＧＯＯＳＥアナログ入力（ＡＩ）メッセージなど、任意の現在既知の種類のＧＯＯＳＥメッセージ、または将来開発される種類のＧＯＯＳＥメッセージであり得る。固定ＧＯＯＳＥメッセージは、ＧＳＳＥデータセットを搬送する種類のＧＯＯＳＥメッセージである。ＧＯＯＳＥメッセージは、１６個、３２個、または６４個の入力も含むことができる。入力は、デジタル入力またはアナログ入力であり得る。しかし、他の任意の指定された数の入力も適用可能であることを理解されたい。
【００２５】
ステップＳ２において、第１のＩＥＤ  １１０Ａは、受信機５０を使用して、同じＧＯＯＳＥメッセージを、第２のＩＥＤ  １１０Ｂから第２のタイムスタンプ時に受信するようにも構成される。すなわち、ＧＯＯＳＥメッセージは、第１のＩＥＤ  １１０Ａから第２のＩＥＤ  １１０Ｂに送られ、次いで第１のＩＥＤ  １１０Ａに返信される。ステップＳ３において、計算器６０は、第１のタイムスタンプおよび第２のタイムスタンプに基づいてラウンドトリップ時間を計算する。ラウンドトリップ時間は、第１のタイムスタンプと第２のタイムスタンプの差である。
【００２６】
次いで、ステップＳ３において、ラウンドトリップ時間が指定されたラウンドトリップ時間内であるかどうか、判定器７０が判定する。ＧＯＯＳＥメッセージがデジタル入力を含む場合、指定されたラウンドトリップ時間は、約２０ミリ秒（ｍｓ）であり得る。ＧＯＯＳＥメッセージがアナログ入力を含む場合、指定されたラウンドトリップ時間は、約１００ｍｓであり得る。すなわち、第１のＩＥＤ  １１０Ａおよび第２のＩＥＤ  １１０Ｂが障害状態下で正しく動作していることを確認するためには、ラウンドトリップ時間が指定されたラウンドトリップ時間内でなければならない。しかし、他の指定されたラウンドトリップ時間も適用可能であることを理解されたい。
【００２７】
ここで図２を再び参照すると、変電所システム１００は、マスタステーション１７５も含むことができる。図示していないが、第１のＩＥＤ  １１０Ａおよび第２のＩＥＤ  １１０Ｂは、変電所システム１００内の他のデバイスと接続または通信することができる。第１のＩＥＤ  １１０Ａおよび第２のＩＥＤ  １１０Ｂは、送信機４０（図１）を使用して、これらの他のデバイスに関するデータを、マスタステーション１７５に連続的に送信することができる。障害がデバイスにおいて発生したとき、障害に対処することができるように、デバイスに関連するどのＩＥＤ  １１０Ａ、１１０Ｂも、障害を示すデータをマスタステーション１７５に送信することになる。ＩＥＤ  １１０Ａ、１１０Ｂからマスタステーション１７５に送られるデータは、指定された速度であり得る。この指定された速度は、当技術分野で知られているように、入力点（デジタルまたはアナログ）の数および点の間隔に基づくことができる。
【００２８】
本明細書においてラウンドトリップ時間分析器として示し、記載したが、本発明の態様が、様々な代替実施形態をさらに提供することを理解されたい。例えば、一実施形態において、本発明は少なくとも１つのコンピュータ可読媒体の中に具体化されるコンピュータプログラムを提供し、コンピュータプログラムを実行すると、コンピュータシステムが変電所システム内のＩＥＤを試験できるようになる。ここで、コンピュータ可読媒体は、ラウンドトリップ時間分析器３０（図１）などのプログラムコードを含み、プログラムコードが、本明細書に記載の処理の一部または全部を実施する。用語「コンピュータ可読媒体」は、プログラムコードの複製を具体化することが可能な、１つまたは複数の、任意の種類の有形な媒体の表現（例えば、物理的な実施形態）を含むことを理解されたい。例えば、コンピュータ可読媒体は、１つまたは複数の可搬型記憶製品、コンピューティングデバイスの１つまたは複数のメモリ／記憶構成要素、紙などを含むことができる。
【００２９】
別の実施形態において、本発明は、ラウンドトリップ時間分析器３０（図１）などの、本明細書に記載の処理の一部または全部を実施するプログラムコードの複製を提供する方法を提供する。この場合、コンピュータシステムは、第２の別個の場所で受信するために、１つまたは複数のプログラムコードの特性セットを有する１組のデータ信号および／またはデータ信号の組の中のプログラムコードの複製を符号化するようなやり方で変更したデータ信号を、生成および送信することができる。同様に、本発明の一実施形態は、本明細書に記載の処理の一部または全部を実施するプログラムコードの複製を取得する方法を提供し、方法は、本明細書に記載のデータ信号の組を受信し、少なくとも１つのコンピュータ可読媒体の中に具体化されるコンピュータプログラムの複製へデータ信号の組を変換する、コンピュータシステムを含む。いずれの場合でも、データ信号の組は、任意の種類の通信リンクを使用して、送受信することができる。
【００３０】
さらに他の実施形態において、本発明は、変電所システム内のＩＥＤを試験する方法を提供する。この場合、コンピュータシステム２０（図１）などのコンピュータシステムが得られ（例えば、作成、維持、利用可能にするなど）、本明細書に記載の処理を実施するための１つまたは複数のモジュールが得られ（例えば、作成、購入、使用、変更するなど）、コンピュータシステムに配置することができる。ここで、配置は、（１）プログラムコードを、コンピュータ可読媒体からコンピューティングデバイス上にインストールすること、（２）コンピュータシステムに、１つまたは複数のコンピューティングデバイスおよび／またはＩ／Ｏデバイスを追加すること、（３）コンピュータシステムが本明細書に記載の処理を実施することができるよう、コンピュータシステムを組み込むかつ／または変更することの１つまたは複数を含むことができる。
【００３１】
本発明の態様は、本明細書に記載の処理を、加入、広告、および／または有料で実施するビジネス方法の一部として実装できることを理解されたい。すなわち、サービスプロバイダが、本明細書に記載のように、変電所システム内のＩＥＤを試験するための命令の処理を実現することを提供することができる。この場合、サービスプロバイダは、１または複数の顧客に本明細書に記載の処理を実施する、コンピュータシステム２０（図１）などのコンピュータシステムを管理（例えば、作成、維持、サポートなど）することができる。見返りとして、サービスプロバイダは、加入契約および／または料金契約の下で、顧客（複数可）から支払いを受け取ること、１または複数の第三者への広告売上げから支払いを受け取ることなどができる。
【００３２】
本明細書において使用する用語は、特定の実施形態を記載することのみを目的としており、本開示を限定することを意図していない。本明細書において使用するとき、文脈上の明確な別段の指示がない限り、単数形「ａ」「ａｎ」および「ｔｈｅ」は、複数形を同様に含むことを意図している。本明細書において使用するとき、用語「備える、含む」（ｃｏｍｐｒｉｓｅｓ）および／または「備えている、含んでいる」（ｃｏｍｐｒｉｓｉｎｇ）は、述べた特徴、整数、ステップ、動作、要素、および／または構成要素のグループが存在することを明示するが、１つまたは複数の他の特徴、整数、ステップ、動作、要素、構成要素、および／またはそのグループの存在または追加を排除しないことを理解されたい。
【００３３】
本明細書は例を使用して、最良の形態を含め、本発明を開示し、任意の当業者が任意のデバイスまたはシステムを製作および使用し、任意の組み込んだ方法を実施することを含め、本発明を実施することを可能にもする。本発明の特許性がある範囲は、特許請求の範囲によって規定され、当業者に想起される他の例を含むことができる。そのような他の例が、特許請求の範囲の文字通りの文言と異ならない構造要素を有する場合、またはそのような他の例が、特許請求の範囲の文字通りの文言とほぼ異ならない、等価な構造要素を含む場合、そのような他の例は、特許請求の範囲内であることが意図される。
【符号の説明】
【００３４】
１０  環境
２０  コンピュータシステム
２２  処理構成要素
２４  記憶構成要素
２６  入出力構成要素
２８  通信経路
３０  ラウンドトリップ時間分析器
３２  モジュール
３６  ユーザ
４０  送信機
５０  受信機
６０  計算器
７０  判定器
１００  変電所システム
１１０Ａ  インテリジェント電子デバイス
１１０Ｂ  インテリジェント電子デバイス
１１０Ｎ  インテリジェント電子デバイス
１５０  障害シミュレータ
１７５  マスタステーション
【図１】
2012175706.tif 000003
【図２】
2012175706.tif 000004
【図３】
2012175706.tif 000005
【外国語明細書】
2012175706000001.pdf